(57)【要約】【課題】面間寸法を短縮して全体のコンパクト化と軽量化とを図りつつ、誤作動を防止しながらスプリンクラー作動時の応答性を向上して確実に流水を検知できる流水検知装置を提供する。【解決手段】短筒形状のウエハ型ボデー１の内部に逆止弁機構２を設け、かつ、ボデー１の外周面１ａに、一次側及び二次側の圧力計３取付用の台座１０と、スイッチ機構４取付用の取付台座１１と、排出弁機構５取付用の排水口部１２をそれぞれ設けると共に、台座１０と取付台座１１と排出口部１２をウエハ型ボデー１の面間寸法Ｄの範囲内に位置させた。【選択図】図１
2014188092.tif 000002
【特許請求の範囲】
【請求項１】
短筒形状のウエハ型ボデーの内部に逆止弁機構を設け、かつ、前記ボデーの外周面に、一次側及び二次側の圧力計取付用の台座と、スイッチ機構取付用の取付台座と、排出弁機構取付用の排水口部をそれぞれ設けると共に、前記台座と前記取付台座と前記排出口部を前記ウエハ型ボデーの面間寸法の範囲内に位置させたことを特徴とする流水検知装置。
【請求項２】
前記スイッチ機構を収納したケース体を長尺の直方体形状に形成し、この直方体形状のケース体の短寸の巾方向を少なくとも前記ウエハ型ボデーの面間寸法とした請求項１に記載の流水検知装置。
【請求項３】
前記スイッチ機構の内部に前記逆止弁機構の弁体と同軸の第１作動プレートと、この第１作動プレートに一端部を係合し、かつロータリーダンパを介して回動可能な第２作動プレートとを設け、この第２作動プレートの一端部に略Ｖ字形状に曲折部を設け、かつ、前記第１プレートの長手方向と所定角度に略く字形状に配置し、前記第２作動プレートの他端部近傍におもりを設けてリミットスイッチをオンオフ可能に設けた請求項１又は２に記載の流水検知装置。
【請求項４】
前記逆止弁機構は、スイング型逆止め弁であり、この逆止め弁の一次側の弁体の背面位置に案内体を取付けた請求項１乃至３の何れか１項に記載の流水検知装置。
【発明の詳細な説明】
【技術分野】
【０００１】
本発明は、例えば、スプリンクラー設備に使用され、火災発生時などに流水を検知するために用いられる流水検知装置に関する。
【背景技術】
【０００２】
通常、スプリンクラー設備には、スプリンクラーが作動したことを検出するために流水検知装置が設けられる。流水検知装置は、水圧によって作動する逆止弁構造の弁体を内部に有し、火災発生時のスプリンクラーの開放に応じてこの弁体が開状態になって流路が開かれ、弁体が開状態になったときに信号が検知される。このような流水検知装置には、一般的に遅延機構、圧力計、排水弁が取り付けられている。
【０００３】
遅延機構は、流水検知装置のハウジングに設けられた取付台座部に取付けられ、瞬間的な圧力変動に対する反応を鈍感にすることで、流水が一定時間継続しない場合には検知信号を発しないように設けられる。この遅延機構により、定期試験等で一次側が瞬間的に圧力変動したり、漏水などの要因によりポンプが作動して少量の水が流れた場合の流水検知装置の誤作動（誤信号の発信）が防がれる。
圧力計は、流水検知装置のハウジングにおける弁体の一次側及び二次側に設けられた台座部に設けられ、この圧力計により一次側、二次側双方への所定水圧の負荷確認や、メンテナンス等における弁体の一次側と二次側との圧力差を測定可能になっている。
排水弁は、ハウジングに形成された排水口に螺着等により接続され、この排水弁の開閉によりハウジング内部から排水される。
【０００４】
この種の流水検知装置として、例えば、特許文献１の流水検知装置が開示されている。この流水検知装置における逆止弁の本体は、面間寸法の長い形状に形成され、この本体の両端には上下に配管と接続するためのフランジが形成されている。この流水検知装置は、ヒンジピンの開度を利用し、弁体の回転が直接遅延機構に伝達される作動弁型となっている。
一方、特許文献２の流水検知装置についても特許文献１と同様の逆止弁を有し、この逆止弁は、フランジカバーを有する面間寸法の長い形状となっている。この流水検知装置では、水圧によって流水検知する圧力スイッチ型になっている。
【先行技術文献】
【特許文献】
【０００５】
【特許文献１】特開２００５−２５３６４０号公報
【特許文献２】特開２００９−２６８６６３号公報
【発明の概要】
【発明が解決しようとする課題】
【０００６】
特許文献１及び２の流水検知装置は、逆止弁のハウジングが長筒形状であり、しかも両端にフランジが形成されているため面間寸法が増大して流路方向に大型化していた。このため、これらの流水検知装置は設置スペースが大きくなり、重量も増加するため配管の作業性も悪くなっていた。
さらにこれらの流水検知装置に遅延機構を設ける場合、この遅延機構はコンパクト化が図られていないため全体がより大型になって省スペース化が難しくなる。そのため、遅延機構のコンパクト化、及び流水検知機構への取付後の省スペース化も望まれていた。圧力計を取付ける場合、これら圧力計は通常フランジ付近に設けられた台座部に接続されるため、取付け後にフランジよりも突出配置されることとなる。排水弁についても同様に突出配置されることとなり、これら圧力計や排水弁がハウジングよりも流路方向に突出すると、流水検知装置の面間寸法の増大につながって狭い配管スペースへの設置が難しくなる。
【０００７】
一方、流水検知装置は、弁開時の信号を規定の水量、例えば５０Ｌ／ｍｉｎの水量で検知しなければならないことが消防法で定められており、このため、一般のチェッキ弁よりも低圧力・小流量の段階で弁体の動きを検知し、スプリンクラーの作動時には弁体を早期に開いて流水を検知し、通水時の流量が小さいときにも弁体を大きく開放できる必要がある。また、他の排水配管からの逆圧などに対する誤作動を防ぐ必要もある。
【０００８】
本発明は、従来の課題を解決するために開発したものであり、その目的とするところは、面間寸法を短縮して全体のコンパクト化と軽量化とを図りつつ、誤作動を防止しながらスプリンクラー作動時の応答性を向上して確実に流水を検知できる流水検知装置を提供することにある。
【課題を解決するための手段】
【０００９】
上記目的を達成するため、請求項１に係る発明は、短筒形状のウエハ型ボデーの内部に逆止弁機構を設け、かつ、ボデーの外周面に、一次側及び二次側の圧力計取付用の台座と、スイッチ機構取付用の取付台座と、排出弁機構取付用の排水口部をそれぞれ設けると共に、台座と取付台座と排出口部をウエハ型ボデーの面間寸法の範囲内に位置させた流水検知装置である。
【００１０】
請求項２に係る発明は、スイッチ機構を収納したケース体を長尺の直方体形状に形成し、この直方体形状のケース体の短寸の巾方向を少なくともウエハ型ボデーの面間寸法とした流水検知装置である。
【００１１】
請求項３に係る発明は、スイッチ機構の内部に逆止弁機構の弁体と同軸の第１作動プレートと、この第１作動プレートに一端部を係合し、かつロータリーダンパを介して回動可能な第２作動プレートとを設け、この第２作動プレートの一端部に略Ｖ字形状に曲折部を設け、かつ、第１プレートの長手方向と所定角度に略く字形状に配置し、第２作動プレートの他端部近傍におもりを設けてリミットスイッチをオンオフ可能に設けた流水検知装置である。
【００１２】
請求項４に係る発明は、逆止弁機構は、スイング型逆止め弁であり、この逆止め弁の一次側の弁体の背面位置に案内体を取付けた流水検知装置である。
【発明の効果】
【００１３】
請求項１に係る発明によると、短筒形状のウエハ型ボデーに逆止弁機構を設け、ボデーの外周面に圧力計取付用の台座と、スイッチ機構取付用の取付台座と、排出弁機構取付用の排出口部とを面間寸法の範囲内に設けていることで、このウエハ型ボデーにより面間寸法を短縮し、全体のコンパクト化して軽量化を図ることができる。この場合、圧力計、スイッチ機構、排出弁機構をそれぞれボデーの外周面の四方のうちの三方に配置すればこれらの互いの干渉を防ぎつつそれぞれの機能を発揮でき、天井面や壁面に配管する際には、四方のうちの残りの一面を設置面にすれば、既存の配管にもコンパクトに接続可能となる。これらのことにより、配管への取付けが容易になり、一人の作業者によっても簡単に施工できる。スプリンクラーの作動時には、逆止弁機構により誤作動を防止しながら応答性を向上して配管に通水できる。
【００１４】
請求項２に係る発明によると、ケース体を長尺の直方体形状としてコンパクト化でき、このケース体の短寸の巾方向を少なくともウエハ型ボデーの面間寸法としていることで、スイッチ機構が面間方向側に突出することがなく、配管作業の妨げになることを防止できる。
【００１５】
請求項３に係る発明によると、第１作動プレートと、この第１作動プレートに一端部が係合し、この一端部に略Ｖ字形状に曲折された曲折部を有し、第１作動プレートと逆方向に略く字形状に配置された第２作動プレートとを有し、この第２作動プレートの他端部近傍におもりを設けていることで、スイッチ機構全体をコンパクト化でき、逆止弁機構の弁開動作時には確実に遅延機能を発揮し、かつこのスイッチ機構を収納したケース体の短寸の巾方向を短くしてスイッチ機構をウエハ型ボデーの面間寸法内に収めることができる。
【００１６】
請求項４に係る発明によると、弁体の背面位置に取付けた案内体によってスプリンクラー作動時の応答性を向上しながら流水を検知し、通水時の流量が小さいときにも弁体を大きく開放できる。
【図面の簡単な説明】
【００１７】
【図１】本発明における流水検知装置の実施形態を示す斜視図である。
【図２】図１の平面図である。
【図３】図１の正面図である。
【図４】（ａ）は、流水検知装置の弁閉状態を示す断面図である。（ｂ）は、弁閉時のスイッチ機構の内部を示す概略模式図である。
【図５】（ａ）は、流水検知装置の全開状態を示す断面図である。（ｂ）は、全開時のスイッチ機構の内部を示す概略模式図である。
【図６】（ａ）は、流水検知装置の不作動流量時を示す断面図である。（ｂ）は、不作動流量時のスイッチ機構の内部を示す概略模式図である。
【図７】案内体を示す斜視図である。
【発明を実施するための形態】
【００１８】
以下に、本発明における流水検知装置を詳細に説明する。図１〜図３においては、本発明における流水検知装置を示しており、この流水検知装置はウエハ型ボデー１を有し、このボデー１の内部に逆止弁機構２が設けられている。さらに、ボデー１には、一次及び二次側の圧力計３、スイッチ機構４、排出弁機構５が取付けられる。
【００１９】
図に示すように、ボデー１は、短筒形状のウエハ型に形成され、このボデー１の外周面１ａには、圧力計３取付用の台座１０と、スイッチ機構４取付用の取付台座１１と、排出弁機構５取付用の排出口部１２とがそれぞれ設けられる。
台座１０には、逆止弁機構２の弁体１５の一次側、二次側にそれぞれ連通するように取付穴１６が形成され、取付台座１１は、ボデー１に形成された複数の突出部位の先端側に設けられる。排出口部１２は、逆止弁機構２の二次側から外部に連通するように形成されている。
【００２０】
そして、図３において、これら台座１０、取付台座１１、排出口部１２はボデー１の面間寸法Ｄの範囲内に位置される。本実施形態では、図２において台座１０が下面側、取付台座１１が左側面側、排出口部１２が右側面側の位置に形成されているが、これらはボデー外周面１ａの三方にそれぞれ配置されていれば、その配置位置にはこだわらない。図示しないが、本実施形態において、ボデー１はウエハ型であるため、このボデー１を外部配管に接続する際にはボデー外周側がボルトガイドとなり、このボルトガイドを介してボデー１が固着ボルト１３で固定される。この場合、ボデー外周面１ａには固着ボルト位置決め用の突起部位が設けられていてもよい。さらに、ボデー１は、ラグ型であってもよく、この場合にはボデー外周側にねじ孔を有するラグが形成される。
【００２１】
図４〜図６に示すように、圧力計３は、取付穴１６を介して台座１０に取付けられ、これら圧力計３、３で逆止弁機構２の一次側と二次側との圧力をそれぞれ測定可能になっている。これにより一次側と二次側の圧力を圧力計３で確認して、スプリンクラーによる放水に必要な一次側、二次側双方への所定水圧の負荷状況や、メンテナンス等において流体漏れなどを確認できる。なお、圧力計３には圧力遮断弁１７が設けられていてもよく、この場合には、ボデー１内部やボデー１が取り付けられる配管内に水を充満させる際に、圧力遮断弁１７を閉状態にしておくことで急激な圧力上昇による圧力計３の破損が防がれる。圧力計３の交換やメンテナンス時に圧力遮断弁１７を閉状態にすれば、これらの作業も容易になる。
【００２２】
一方、取付台座１１に取付けられるスイッチ機構４は、長尺の直方体形状のケース体２０に収納される。図３に示すように、この直方体形状のケース体２０の短寸の巾方向の寸法Ｌは、少なくともボデー１の面間寸法Ｄになっており、本実施形態では短寸の巾方向の寸法Ｌが、ボデーの面間寸法Ｄよりも小さくなっている。
【００２３】
図４〜図６において、スイッチ機構４は、弁体１５の回転動作を遅延して逆止弁機構２や配管内部の瞬間的な圧力変動や流体漏れなどにおける誤作動を防ぐために設けられ、このスイッチ機構４のケース体２０の内部には、第１作動プレート２１、第２作動プレート２２、ロータリーダンパ２３、リミットスイッチ２４、おもり２５が設けられる。スイッチ機構４と逆止弁機構２とはハンガーピン２６により接続され、スイッチ機構４は、逆止弁機構２の弁体１５に連動して動作可能になっている。
【００２４】
第１作動プレート２１は、ハンガーピン２６を介して逆止弁機構２の弁体１５と同軸に取付けられ、この弁体１５の回動により自由端側が回動可能になっている。第２作動プレート２２は略Ｖ字形状に曲折形成されて曲折部２２ａが設けられ、この曲折部２２ａ付近においてロータリーダンパ２３と同軸に固定される。図５に示すように、本実施形態における屈曲角αは約１５５°に設定されている。第２作動プレート２２は、一端部が第１作動プレート２１の自由端側に係合可能に設けられ、他端部近傍にはおもり２５が設けられ、第２作動プレート２２の曲折部２２ａと第１作動プレート２１の自由端側との係合が外れたときに、おもり２５により第２作動プレート２２がロータリーダンパ２３を介して回転し、リミットスイッチ２４の接点２７をオン可能となる。
【００２５】
第２作動プレート２２は、第１作動プレート２１の長手方向と所定角度に略く字形状に配置され、これによって第１作動プレート２１のハンガーピン２６取付け側から第２作動プレート２２のおもり２５側端部までの短寸の巾方向の長さの寸法Ｌを短くできる。図４（ｂ）において、略く字形状の角度βは約１３０°に設定される。また、第２作動プレート２２の弁閉時の状態から接点２７を押圧する状態までの回転角度θは、本実施形態では２１°となっているが、これらの角度θ、α、βは適宜変更可能である。
【００２６】
ロータリーダンパ２３は、図示しないベース体を介してケース体２０内に固定され、通水時に第２作動プレート２２がリミットスイッチ２４をオンしようとするときの回転方向（図４（ｂ）において右回転方向）の負荷が、リミットスイッチ２４をオフする回転方向（図４（ｂ）において左回転方向）の負荷よりも大きくなっている。
【００２７】
リミットスイッチ２４は、ロータリーダンパ２３と共にベース体を介してケース体２０に固定されるものであり、第２作動プレート２２のおもり２５側端部の位置に設けられ、弁体１５が弁開方向に所定角度回転して第２作動プレート２２がおもり２５で回転したときに、そのおもり２５側端部がリミットスイッチ２４の接点をオンすることが可能になっている。
【００２８】
スイッチ機構４は、ハンガーピン２６側に、少なくとも第１作動プレート２１、第２作動プレート２２、ロータリーダンパ２３、リミットスイッチ２４、おもり２５、接点２７からなる流水検出ユニット２９が設けられ、非ハンガーピン側、すなわち図１における圧力計３や後述する排水弁機構５のハンドル２８側に、少なくともスイッチ機構４への電源供給やスイッチ機構４からの検出信号に用いる図示しない電気ケーブルを接続可能な端子ユニット３５が設けられている。これにより、天井面や壁面などの設置面に対向する作業者が、電気ケーブルの接続や圧力計３の確認、排水弁機構５の操作などを円滑に行うことが可能となっている。
【００２９】
図１において、排水口部１２に取付けられる排出弁機構５は、メンテナンス等においてボデー１及び配管内に蓄積した水を排出するために設けられる。排水口部１２は、弁体１５より二次側のボデー側面に設けられている。排出弁機構５は、排水口部１２を開閉可能であれば適宜の態様のバルブであればよく、この排出弁機構５に設けられた手動ハンドル２８の回転により流水検知機構内部及び配管の二次側に蓄積された水を排出可能となる。
【００３０】
前記ボデー１内部に設けられる逆止弁機構２は、図４〜図６に示すように、スイング型の逆止め弁であり、流水検知装置は、この逆止弁機構２からハンガーピン２６を介して第１作動プレート２１に弁体１５の回動が伝達され、前記スイッチ機構４は、第１プレートから第２作動プレート２２に回動を伝達されて流水を検知する、作動弁型の遅延機構となっている。
【００３１】
逆止弁機構２の弁体１５はアーム３０に取付けられ、このアーム３０はハンガーピン２６によりボデー１に軸支され、アーム３０を介して弁体１５がボデー１内をスイングするように回動可能になっている。このアーム３０の回動に伴ってハンガーピン２６の他端側に取付けられた第１作動プレート２１が回動する。アーム３０の背面側には当接部３１が形成され、図５の弁体１５の全開時には、当接部３１がボデー１の対向面に当接することで、図における下方側からの流水量が多い場合でも弁体１５がガタつくことが無く全開状態が保持される。
【００３２】
逆止弁機構２の一次側の弁体１５の背面位置には、ボデー１に形成された弁座面３２との間にシール用Ｏリングが設けられ、このシール用Ｏリング３３を介して案内体４０が弁体１５の中央部に設けられる。弁閉時には、Ｏリング３３により弁体１５と弁座面３２とがシールされ、ボデー１内の流路がシールされる。
【００３３】
図７に示すように、案内体４０は、一次側の外周部が傾斜状に形成されて先細状に設けられ、図４において、ボルト４１によりその中央部が弁体１５に固着される。案内体４０の取付け後には、弁閉時における弁座面３２側の流路が狭くなり、流水時には弁座面付近の流体圧が増すことで弁体１５が開きやすくなる。この案内体４０により弁体１５の回転角度をトリガーとして検知させ、その誤動作を防ぎつつ動作角度を増幅させて、スプリンクラー作動時の流水を確実に検知可能になる。
【００３４】
図示しないが、上述した流水検知装置を配管に接続する場合、この流水検知装置が接続される部位の上下配管フランジの間に、予め２本のボルトを奥側に配置する。図２に示すように、この２本のボルトにハンガーピン側のボデー側面に設けたボルトガイドと当接するように、流水検知装置を上下配管フランジの間に挿入して配管との接続位置を調整しながら接続する。なお、図２に示す実施形態では、図の上方が天井面や壁面などの設置面となる。
【００３５】
続いて、上述した流水検知装置の動作を説明する。
図４（ａ）において、通常時（非流水時）には、流水検知装置の一、二次側に水が満たされ、Ｏリング３３により弁体１５と弁座面３２とがシールされた状態で弁閉状態になっている。このとき、図４（ｂ）において、ロータリーダンパ２３にはおもり２５により右回転しようとする力が加わっているが、この力よりも弁閉する方向に働く力、すなわち第２作動プレート２２に第１作動プレート２１が係合するときの力が大きいため、第１作動プレート２１が図の状態に保持され、これによって弁閉状態が維持される。
【００３６】
流水検知装置が設置された建造物に火災が発生し、スプリンクラーが作動すると、放水に伴って逆止弁機構２の二次側の圧力が低下し、二次側と一次側との間に差圧が生じて弁体１５が開放されて一次側から二次側に水が流れる。
【００３７】
図５（ａ）において、弁体１５が開放状態まで回転すると、弁体１５が水の圧力によりその開放状態が保持された状態となり、流水検知装置の一次側から二次側のスプリンクラー側に水が流れ続ける。
このとき、図５（ｂ）に示すように、ハンガーピン２６を介して弁体１５と同軸に取付けられた第１作動プレート２１が弁体１５の回転角度と同じ角度で回転し、この第１作動プレート２１の自由端側の係合が第２作動プレート２２から外れる。このため、第２作動プレート２２はおもり２５の重さによって右回転する。この場合、前記したようにロータリーダンパ２３の右回転方向の負荷が左回転方向の負荷よりも大きいため、第２作動プレート２２はロータリーダンパ２３の負荷に抗するように徐々に右回転し、第１作動プレート２１の係合が外れた所定時間経過後に、第２作動プレート２２がリミットスイッチ２４の接点２７を押してリミットスイッチ２４がオンの状態になる。
【００３８】
このとき、例えば、スプリンクラー作動時の弁開状態では５０Ｌ／ｍｉｎの水が流れ、この流水により弁体１５が約１０°を超える角度まで弁開したときにリミットスイッチ２４によって流水が検知されるようになっている。本実施形態においては、第２作動プレート２２の接点２７までの回転角度θは、２１°に設定されている。
【００３９】
弁体１５が全開状態となり第１作動プレート２１の係合が第２作動プレート２２から外れたときから、第２作動プレート２２によりリミットスイッチ２４がオンされるまでの遅延時間は、ロータリーダンパ２３の負荷の大きさや、第２作動プレート２２に対するおもり２５の位置や重さを調節することで適宜設定可能となる。
リミットスイッチ２４がオンの状態になると、図示しない外部の制御盤に弁体１５が所定時間開放したことを知らせる信号が発せられる。この信号により図示しない警報装置が作動し、火災の発生によるスプリンクラー作動が知らせられる。
【００４０】
火災の鎮火等によりスプリンクラーへの流水が停止すると、流水検知装置の二次側に水が蓄積して逆止弁機構２の一次側と二次側との差圧が無くなり、弁体１５が自重によって回転して図４（ａ）の弁閉状態になる。このとき、第１作動プレート２１が図４（ｂ）の状態まで回転し、この第１作動プレート２１の端部側が第２作動プレート２２の曲折部２２ａに係合してこの第２作動プレート２２を左回転させ、この第２作動プレート２２がリミットスイッチ２４の接点２７から外れることでリミットスイッチ２４がオフになる。これにより、制御盤への信号が停止して警報装置の作動が停止する。
【００４１】
次に、配管に設けられた別の流水検知装置の試験等によって瞬間的な圧力変動や漏水が生じ、流水検知装置に、例えば５〜１０Ｌ／ｍｉｎ程度の微小流量の水が流れた場合、すなわち、流水検知装置の不作動流水時の場合を述べる。この場合、図６（ａ）に示すように、弁体１５の開度は１０°以下となる。そのため、図６（ｂ）に示すように第１作動プレート２１の係止が第２作動プレート２２から外れることがなく、第２作動プレート２２がリミットスイッチ２４の接点を押してオンすることがない。これにより、微小流量時には信号が発せられることが防止される。
【００４２】
一方、流水検知装置内に５０Ｌ／ｍｉｎ以上の流量の水が流れ、第１作動プレート２１が図５（ａ）の状態まで水圧で押し上げられた場合でも、この状態が一定時間（例えば、２０秒間）維持されない場合には、流水が停止すると同時に弁体１５が閉状態まで回転し、第１作動プレート２１の係止により第２作動プレート２２がおもり２５の重さに抗して持ち上げられる。これにより、リミットスイッチ２４がオンになることがなく、予め設定した時間に応じて誤作動を防止できる。
【００４３】
メンテナンスや試験等により、流水検知装置の二次側の水を排水する場合には、手動ハンドル２８を開方向に回転させて排水弁機構５を開状態にする。これによって、流水検知装置の二次側に蓄積した水が排出口部１２から外部に排出される。
【００４４】
本発明の流水検知装置は、前述したように短筒形状のウエハ型ボデー１の内部に逆止弁機構２を設け、かつ、ボデー１の外周面１ａに圧力計３取付用の台座１０、スイッチ機構４取付用の取付台座１１、排出弁機構５取付用の排水口部１２をそれぞれ設け、これら台座１０と取付台座１１と排出口部１２をウエハ型ボデー１の面間寸法Ｄの範囲内に位置させていることで、面間寸法Ｄを短縮したフランジレスのボデー１を介して流水検知でき、これによって、例えば大型のフランジ型の流水検知装置と比較して約５０％以上の軽量化を図ることも可能になる。
【００４５】
特に、スイッチ機構４については、直方体形状のケース体２０の短寸の巾方向の寸法Ｌを少なくともボデー１の面間寸法Ｄとしていることで、スイッチ機構４を取付けた後にも流水検知装置全体の面間寸法が増加することがない。この場合、第１作動プレート２１に、略Ｖ字形状に曲折して曲折部２２ａを設け、この曲折部２２ａに第２作動プレート２２の一端部を係合させ、第１作動プレート２１と第２作動プレート２２とを長手方向に略く字形状に所定角度を持たせながら配置していることで、弁体動作に対する遅延機能を確保しつつコンパクト化できる。
【００４６】
弁体１５（第１作動プレート２１）が所定角度（例えば１０°）を超えたときに、ロータリーダンパ２３で弁開状態を検知しているため、排水配管からの逆圧による誤作動を確実に防止し、このときに第１作動プレート２１と第２作動プレート２２との係合が外れる構造であり、通水時には弁体１５に水の圧力以外の力が第２作動プレート２２から加わることがなく反応性が向上し、スプリンクラーの作動に対して弁体１５が早期に大きい開放角度まで回転して弁開状態になる。
この場合、ハンガーピン２６を介して弁体１５の開度を各作動プレート２１、２２に伝達する作動弁型であることで、流体の圧力により流水を検知する圧力スイッチ型の流水検知装置に比較して信頼性が高く、高い精度で誤作動を防止できる。
【符号の説明】
【００４７】
１  ボデー
１ａ  外周面
２  逆止弁機構
３  圧力計
４  スイッチ機構
５  排出弁機構
１０  台座
１１  取付台座
１２  排水口部
１５  弁体
２０  ケース体
２１  第１作動プレート
２２  第２作動プレート
２３  ロータリーダンパ
２４  リミットスイッチ
２５  おもり
４０  案内体
Ｄ  面間寸法
Ｌ  巾方向の寸法
【図１】
2014188092.tif 000003
【図２】
2014188092.tif 000004
【図３】
2014188092.tif 000005
【図４】
2014188092.tif 000006
【図５】
2014188092.tif 000007
【図６】
2014188092.tif 000008
【図７】
2014188092.tif 000009